(57)【要約】【課題】棚板が前方にスライドされた場合にも良好に支持すること。【解決手段】ケース本体１０の収納室１３に立設された棚支柱１４に、前方に向けて延在する態様で支持されたブラケット３０と、ブラケット３０に前後方向に沿ってスライド可能に設けられた棚板４０とを備え、棚板４０の上面に商品を載置して陳列するショーケースの商品陳列棚２０であって、ブラケット３０は、後端縁部３１より後方に向けて突出する態様で形成された係合突起３１２，３１３，３１４が棚支柱１４に形成された後方係合孔１４１に相対的に進入して後端縁部３１が棚支柱１４の前面１４ａに当接する場合に、棚支柱１４の前方に立設された前方棚柱１５に係合手段を介して係合されて支持されている。【選択図】図７
2019122511.tif 000002
【特許請求の範囲】
【請求項１】
ケース本体の収納室に立設された棚支柱に、前方に向けて延在する態様で支持されたブラケットと、
前記ブラケットに前後方向に沿ってスライド可能に設けられた棚板と
を備え、
前記棚板の上面に商品を載置して陳列するショーケースの商品陳列棚であって、
前記ブラケットは、後端縁部より後方に向けて突出する態様で形成された係合突起が前記棚支柱に形成された後方係合孔に相対的に進入して該後端縁部が該棚支柱の前面に当接する場合に、前記収納室における前記棚支柱の前方に立設された前方棚柱に係合手段を介して係合されて支持されたことを特徴とするショーケースの商品陳列棚。
【請求項２】
前記係合手段は、
前記前方棚柱に形成された前方係合孔と、
前記ブラケットの前端部を構成する係合部と
を有し、
前記係合部に形成された係合爪が前記前方係合孔に相対的に進入して該前方係合孔の縁部に係止することで前記ブラケットを前記前方棚柱に係合させることを特徴とする請求項１に記載のショーケースの商品陳列棚。
【発明の詳細な説明】
【技術分野】
【０００１】
本発明は、ショーケースの商品陳列棚に関し、より詳細には、例えばスーパーマーケットやコンビニエンスストア等の店舗に設置され、収納対象となる商品を所望の温度状態に保持するようにしたショーケースの商品陳列棚に関するものである。
【背景技術】
【０００２】
従来、例えばスーパーマーケットやコンビニエンスストア等の店舗に設置され、収納対象となる商品を所望の温度状態に保持するようにしたショーケースとして、次のようなものが知られている。
【０００３】
ケース本体の収納室に複数の商品陳列棚が上下方向に沿って複数段設けられており、それぞれの商品陳列棚に商品が載置されて陳列されている。またケース本体の内部であって収納室の外部となる個所には、吸込口を通じて吸い込まれた収納室の内部の空気を冷却する冷却器が設けられており、この冷却器により冷却された空気が吹出口から収納室の内部に吹き出されることにより、商品陳列棚に陳列された商品が所望の温度状態に調整されることになる。
【０００４】
かかるショーケースにおける商品陳列棚には、商品補充の利便性等を考慮したスライド式のものが知られている。このようなスライド式の商品陳列棚は、ブラケット及び棚板を備えて構成されている。
【０００５】
ブラケットは、上記収納室を画成する背面パネルを支持するとともに上下方向に所定間隔で孔部が形成された棚支柱に対し、後端部に形成された係合孔が所定の孔部に挿入されることで該棚支柱に支持されている。棚板は、上面が商品を載置するための載置面を構成する平板状部材であり、左右両端部がそれぞれスライド機構を介してブラケットに支持されている。
【０００６】
かかる商品陳列棚では、棚板がブラケットに対して前後方向にスライド可能である（例えば、特許文献１参照）。
【先行技術文献】
【特許文献】
【０００７】
【特許文献１】特開２０１２−１６１４９１号公報
【発明の概要】
【発明が解決しようとする課題】
【０００８】
ところで、近年においては、商品陳列棚に陳列される商品の数の増大化等の要請により、該商品陳列棚の左右幅が拡大される傾向にある。
【０００９】
このように左右幅が拡大される商品陳列棚において、従来のようにブラケットが棚支柱にのみ支持されるものでは、棚板を前方にスライドさせた場合に、ブラケットの後端部と棚支柱との係合部分に作用するモーメントが過大なものとなってしまい、結果的に、商品陳列棚の破損を招来する虞れがあった。
【００１０】
本発明は、上記実情に鑑みて、棚板が前方にスライドされた場合にも良好に支持することができるショーケースの商品陳列棚を提供することを目的とする。
【課題を解決するための手段】
【００１１】
上記目的を達成するために、本発明に係るショーケースの商品陳列棚は、ケース本体の収納室に立設された棚支柱に、前方に向けて延在する態様で支持されたブラケットと、前記ブラケットに前後方向に沿ってスライド可能に設けられた棚板とを備え、前記棚板の上面に商品を載置して陳列するショーケースの商品陳列棚であって、前記ブラケットは、後端縁部より後方に向けて突出する態様で形成された係合突起が前記棚支柱に形成された後方係合孔に相対的に進入して該後端縁部が該棚支柱の前面に当接する場合に、前記収納室における前記棚支柱の前方に立設された前方棚柱に係合手段を介して係合されて支持されたことを特徴とする。
【００１２】
また本発明は、上記ショーケースの商品陳列棚は、前記係合手段は、前記前方棚柱に形成された前方係合孔と、前記ブラケットの前端部を構成する係合部とを有し、前記係合部に形成された係合爪が前記前方係合孔に相対的に進入して該前方係合孔の縁部に係止することで前記ブラケットを前記前方棚柱に係合させることを特徴とする。
【発明の効果】
【００１３】
本発明によれば、ブラケットは、後端縁部より後方に向けて突出する態様で形成された係合突起が棚支柱に形成された後方係合孔に相対的に進入して該後端縁部が該棚支柱の前面に当接する場合に、収納室における棚支柱の前方に立設された前方棚柱に係合手段を介して係合されて支持されるので、左右幅が拡大された棚板が前方にスライドされても、前方にスライドされた棚板と、ブラケットと前方棚柱との係合部分との距離を短くすることができるので、該係合部分に作用するモーメントを軽減することができ、これにより、棚板が前方にスライドされた場合にも良好に支持することができるという効果を奏する。しかも、ブラケットの後端縁部が棚支柱の前面に当接することで、ブラケットは、前方棚柱に係合手段を介して係合するので、作業者は、ブラケットの後方側を安定させたまま前方側を係合でき、商品陳列棚の設置作業を容易なものとすることができるという効果を奏する。
【図面の簡単な説明】
【００１４】
【図１】図１は、本発明の実施の形態である商品陳列棚が適用されたショーケースを示す斜視図である。
【図２】図２は、本発明の実施の形態である商品陳列棚が適用されたショーケースを示す斜視図である。
【図３】図３は、図１及び図２に示した商品陳列棚の要部を示す斜視図である。
【図４】図４は、図３に示したブラケットの斜視図である。
【図５】図５は、図３に示したブラケットの分解斜視図である。
【図６】図６は、ブラケットと棚支柱との係合状態を示すための分解斜視図である。
【図７】図７は、ブラケットと、棚支柱及び前方棚柱との係合状態を示すための斜視図である。
【図８】図８は、ブラケットと前方棚柱との係合状態を示すための分解斜視図である。
【発明を実施するための形態】
【００１５】
以下に添付図面を参照して、本発明に係るショーケースの商品陳列棚の好適な実施の形態について詳細に説明する。
【００１６】
図１及び図２は、それぞれ本発明の実施の形態である商品陳列棚が適用されたショーケースを示す斜視図である。ここで例示するショーケースは、ケース本体１０を備えている。
【００１７】
ケース本体１０は、前面に形成された前面開口１１が断熱性の前面扉１２により開閉される、略直方状の断熱筐体である。このケース本体１０の内部には、収納室１３が形成してある。
【００１８】
収納室１３は、上記前面開口１１を臨む態様で形成された室であり、複数（図示の例では７つ）の商品陳列棚２０が上下方向に沿って複数段並べて設けてある。この商品陳列棚２０の構成については後述する。
【００１９】
かかるケース本体１０の内部には、収納室１３の外部となる個所に該収納室１３と吸込口及び吹出口（ともに図示せず）を通じて連通する図示せぬ空気通路が形成してあり、かかる空気通路に循環ファン及び冷却器（ともに図示せず）が設けてある。
【００２０】
循環ファンは、駆動することにより、吸込口を通じて収納室１３の内部の空気を空気通路に吸い込んで該空気通路を通過させ、空気通路を通過した空気を吹出口より収納室１３の内部に吹き出させることで、収納室１３の内部の空気を収納室１３の内部と外部との間で循環させるものである。冷却器は、周囲を通過する空気、すなわち空気通路を通過する空気を冷却するものである。
【００２１】
このような循環ファン及び冷却器により、収納室１３の内部の空気が冷却され、これにより、商品陳列棚２０に載置されて陳列された商品は冷却される。
【００２２】
図３は、図１及び図２に示した商品陳列棚２０の要部を示す斜視図である。尚、図３では、商品陳列棚２０の左側部分を拡大して示しているが、商品陳列棚２０の右側部分については左側部分と左右の構造が異なるだけであるので、その説明を割愛する。商品陳列棚２０の説明の前に、上記収納室１３について説明する。収納室１３には棚支柱１４及び前方棚柱１５が設けてある。
【００２３】
棚支柱１４は、収納室１３の背面を構成する背面パネル１６の左右両側部に上下方向に沿って延在する態様で立設してある。かかる棚支柱１４の前面１４ａには、複数の矩形状の後方係合孔１４１が上下方向に沿って等間隔毎に形成してある。
【００２４】
前方棚柱１５は、棚支柱１４の前方において上下方向に沿って延在する態様で立設してある。この前方棚柱１５には、前面及び内面（図示の例では右面）に跨る態様で複数の前方係合孔１５１が上下方向に沿って等間隔毎に形成してある。
【００２５】
上記商品陳列棚２０は、ブラケット３０及び棚板４０を備えて構成してある。ブラケット３０は、鋼板を屈曲等して形成された左右一対のものであり、図４及び図５に示すように、ブラケット本体部３１及び係合部３２を有している。
【００２６】
ブラケット本体部３１は、前後方向が長手方向となる長尺状平板部分であり、後端部の上下寸法がその他の部位よりも大きくなるように形成してある。このようなブラケット本体部３１においては、後端縁部３１１より後方に向けて突出する複数（本実施の形態では３つ）の係合突起３１２，３１３，３１４が上下方向に沿って互いに離隔する態様で形成してある。
【００２７】
これら係合突起３１２，３１３，３１４は、幅となる上下方向の長さが略均等であるとともに、突出高さとなる前後方向の長さが略均等であり、先端部分が湾曲状を成している。また、これら係合突起３１２，３１３，３１４においては、最上位の係合突起３１２とその直下の中位の係合突起３１３との離間距離よりも中位の係合突起３１３と最下位の係合突起３１４との離間距離の方が大きくなるように形成してある。
【００２８】
より詳細に説明すると、最上位の係合突起３１２と中位の係合突起３１３との離間距離は、棚支柱１４において互いに上下に隣接する後方係合孔１４１の離間距離に略等しい。一方、中位の係合突起３１３と最下位の係合突起３１４との離間距離は、棚支柱１４において上下に２つ離れた後方係合孔１４１の離間距離に略等しい。つまり、中位の係合突起３１３と最下位の係合突起３１４との離間距離は、最上位の係合突起３１２と中位の係合突起３１３との離間距離の２倍の大きさに、後方係合孔１４１の上下寸法の大きさを加算した大きさとなる。
【００２９】
係合部３２は、係合基部３２１と、係合中間部３２２と、係合作用部３２３とを有している。係合基部３２１は、平板状部分であり、ブラケット本体部３１の前端部分の外面（図示の例では左面）に図示せぬ締結部材による締結や溶接等により接合されるものである。つまり、係合部３２は、ブラケット３０の前端部を構成している。上記係合基部３２１の上下方向の長さは、ブラケット本体部３１の後端部を除く部位の上下寸法に略等しい。
【００３０】
係合中間部３２２は、係合基部３２１の後端部に連続しており、後方に向かうにつれて漸次外方（左方）に傾斜する態様で延在する平板状部分である。この係合中間部３２２の上下寸法は、係合基部３２１の上下寸法と略同一である。
【００３１】
係合作用部３２３は、係合中間部３２２の後端部に連続しており、ブラケット本体部３１の外面に対向する態様で後方に向けて延在した平板状部分である。この係合作用部３２３は、係合基部３２１や係合中間部３２２よりも上下寸法が大きく、係合中間部３２２に対して上方に突出する態様で形成してある。
【００３２】
このような係合作用部３２３には、後端部分より後方に向けて突出する複数（本実施の形態では３つ）の係合爪３２４が上下方向に沿って互いに離隔する態様で形成してある。これら係合爪３２４の先端部分には、下方に向けて突出するフック部３２４ａが形成してある。これら係合爪３２４同士の離間距離は、前方棚柱１５において互いに上下に隣接する前方係合孔１５１の離間距離に略等しい。
【００３３】
このようなブラケット３０は、図６に示すように、収納室１３の背面を構成する背面パネル１６の側域に立設された棚支柱１４に支持されている。より詳細に説明すると、棚支柱１４の前面１４ａに形成された任意の矩形状の後方係合孔１４１に、ブラケット本体部３１の係合突起３１２，３１３，３１４が前方より相対的に進入することにより、該ブラケット本体部３１の後端部が棚支柱１４に係合し、これにより、ブラケット３０は、棚支柱１４に前方に向けて延在する態様で支持されている。
【００３４】
そして、ブラケット３０は、図７及び図８に示すように、ブラケット本体部３１の後端縁部３１１が棚支柱１４の前面１４ａに当接する場合に、前方棚柱１５の所定の前方係合孔１５１に、係合爪３２４が前方側より相対的に進入してフック部３２４ａが前方係合孔１５１の下縁部に係止することにより、前端部が前方棚柱１５に係合されて支持される。
【００３５】
つまり、ブラケット３０は、係合突起３１２，３１３，３１４が後方係合孔１４１に相対的に進入して後端縁部３１１が棚支柱１４の前面１４ａに当接する場合に、係合爪３２４が所定の前方係合孔１５１に係止されて係合部３２が前方棚柱１５に係合されるような寸法を有している。
【００３６】
棚板４０は、上面が商品を載置する載置面を構成する略平板状部材である。この棚板４０は、左右両端部がスライド機構４１（図３参照）を介してブラケット３０に取り付けてある。ここでスライド機構４１は、従来公知のものであり、ブラケット３０に対して棚板４０が前後方向に沿ってスライドすることを許容する機構である。
【００３７】
そのような構成を有する商品陳列棚２０においては、前面扉１２が前方に向けて揺動されて前面開口１１が開成された場合に、棚板４０が前方にスライドされることを許容し、前方にスライドされた棚板４０の上面に商品が補充されて載置されることが可能になる。
【００３８】
以上説明したように、本実施の形態であるショーケースの商品陳列棚２０によれば、係合突起３１２，３１３，３１４が後方係合孔１４１に相対的に進入してブラケット本体部３１の後端縁部３１１が棚支柱１４の前面１４ａに当接する場合に、前方棚柱１５の所定の前方係合孔１５１に、係合爪３２４が前方側より相対的に進入してフック部３２４ａが前方係合孔１５１の下縁部に係止することにより、ブラケット３０は、後端部が棚支柱１４に係合されつつ前端部が前方棚柱１５に係合されて支持されるので、左右幅が拡大された棚板４０が前方にスライドされても、前方にスライドされた棚板４０と、ブラケット３０と前方棚柱１５との係合部分との距離を短くすることができるので、該係合部分に作用するモーメントを軽減することができ、これにより、棚板４０が前方にスライドされた場合にも良好に支持することができる。
【００３９】
しかもブラケット本体部３１の後端縁部３１１が棚支柱１４の前面１４ａに当接することで、係合爪３２４が前方棚柱１５の所定の前方係合孔１５１に係止して係合部３２が前方棚柱１５に係合するので、作業者は、ブラケット３０の後方側を安定させたまま前方側を係合でき、商品陳列棚２０の設置作業を容易なものとすることができる。
【００４０】
上記商品陳列棚２０によれば、ブラケット３０の後端部の係合突起３１２，３１３，３１４は、後方係合孔１４１に前方から差し込み、かつブラケット３０の前端部の係合爪３２４は、前方係合孔１５１の下縁部にフック部３２４ａを係止させるようにしているので、作業者は、目視にて係合爪３２４を前方係合孔１５１の下縁部に係止させればよく、作業者がブラケット３０の係止忘れを抑制することができる。特に、ブラケット本体部３１の後端縁部３１１より後方に突出する係合突起３１２，３１３，３１４は、最上位の係合突起３１２とその直下の中位の係合突起３１３との離間距離よりも中位の係合突起３１３と最下位の係合突起３１４との離間距離の方が大きくなるように形成してあるので、前方からの目視による操作確認を簡易なものとすることができる。特に、商品陳列棚２０を設置した状態で最下位の係合突起３１４の位置確認が可能になり、所定の高さレベルに商品陳列棚２０が設置されているか否かの確認作業を容易なものとすることができる。
【００４１】
上記商品陳列棚２０によれば、ブラケット３０の前端部の係合爪３２４を相対的に進入させる前方棚柱１５の前方係合孔１５１が、該前方棚柱１５の前面及び内面に跨る態様で形成してあるので、前方棚柱１５の左右方向の長さを小さくすることができ、これにより棚板４０の左右幅を増大させることができ、陳列可能な商品数を増大させることができる。
【００４２】
以上、本発明の好適な実施の形態について説明したが、本発明はこれに限定されるものではなく、種々の変更を行うことができる。
【００４３】
上述した実施の形態では、ブラケット３０の係合突起３１２，３１３，３１４は、幅となる上下方向の長さが略均等となる態様で後方に向けて突出していたが、本発明においては、係合突起は、後方に向かうに連れて幅が小さくなる態様で形成されてもよい。
【００４４】
上述した実施の形態では、ブラケット３０の係合突起３１２，３１３，３１４は、いずれも突出高さとなる前後方向の長さが略均等であったが、本発明においては、いずれかの係合突起が他の係合突起よりも前後方向の長さが大きく形成されていてもよい。この場合には、前後方向の長さが最も大きい係合突起を後方係合孔に相対的に進入させることにより、かかる係合突起を位置決め用のガイドとして、ブラケットの設置位置の確認を容易に行うことができる。
【００４５】
上述した実施の形態では、係合部３２がブラケット本体部３１に接合されてブラケット３０を構成していたが、本発明においては、係合部がブラケット本体部に着脱可能に設けられていてもよいし、係合部がブラケット本体部に対して相対的に前後方向又は左右方向に沿って移動可能に設けられていてもよい。これによれば、棚支柱と前方棚柱との間隔の寸法誤差が大きくなった場合でも、ブラケット本体部に対する係合部の位置を相対的に変位させることで、かかる寸法誤差を吸収することができる。
【００４６】
上述した実施の形態では、左右一対のブラケット３０は、それぞれ独立して棚支柱１４及び前方棚柱１５に支持されるものであったが、本発明においては、左右一対のブラケットは互いに一体的に設けられていてもよいし、棚板に一体的に設けられていてもよい。
【００４７】
上述した実施の形態では、係合部３２に係合爪３２４が設けられ、前方棚柱１５に前方係合孔１５１が設けられて係合手段を構成していたが、本発明においては、前方棚柱に係合爪が形成され、係合部に該係合孔を相対的に進入させて係止させる孔部が形成されることにより係合手段が構成されてもよい。
【符号の説明】
【００４８】
１０  ケース本体
１３  収納室
１４  棚支柱
１４ａ  前面
１４１  後方係合孔
１５  前方棚柱
１５１  前方係合孔
１６  背面パネル
２０  商品陳列棚
３０  ブラケット
３１  ブラケット本体部
３１１  後端縁部
３１２  係合突起
３１３  係合突起
３１４  係合突起
３２  係合部
３２１  係合基部
３２２  係合中間部
３２３  係合作用部
３２４  係合爪
４０  棚板
【図１】
2019122511.tif 000003
【図２】
2019122511.tif 000004
【図３】
2019122511.tif 000005
【図４】
2019122511.tif 000006
【図５】
2019122511.tif 000007
【図６】
2019122511.tif 000008
【図７】
2019122511.tif 000009
【図８】
2019122511.tif 000010